(57)【要約】【課題】簡単な構造で折り畳みおよび原状への復元を容易にする。【解決手段】折り畳み式コンテナは、底パネル１、上枠２、左右パネル３，４および前後パネル５，６を備え、底パネル１には、上枠２のほぼ周縁を下からのぞむ立ち上がり周縁部１４が設けられ、左右パネル３，４の上端部が上枠２の左右枠部材８，９に揺動自在に取り付けられ、前後パネル５，６は高さの中程で内方へ２つ折り自在に連結された上半パネル１２および下半パネル１３よりなり、各上半パネル１２の上端部が上枠２の前後枠部材１０，１１に揺動自在に取り付けられるとともに、下半パネル１３の下端部が底パネル１の前後に設けられた取り付け手段に揺動自在に取り付けられ、左右パネル８，９がそれぞれ前後パネル５，６の端部間に存在しているものである。【選択図】  図１
2005014940.tif 000002
【特許請求の範囲】
【請求項１】
底パネル、上枠、左右パネルおよび前後パネルを備えており、底パネルには、上枠のほぼ周縁を下からのぞむように立ち上がり周縁部が設けられ、左右パネルの上端部が上枠の左右枠部材それぞれに揺動自在に取り付けられ、前後パネルは高さの中程で内方へ２つ折り自在に連結された上半パネルおよび下半パネルよりなり、前後上半パネルの上端部が上枠の前後枠部材それぞれに揺動自在に取り付けられるとともに、前後下半パネルの下端部が底パネルの前後に設けられた取り付け手段それぞれに揺動自在に取り付けられ、左右パネルがそれぞれ前後パネルの端部間に存在している折り畳み自在なコンテナ。
【請求項２】
底パネル、上枠、左右パネルおよび前後パネルを備えており、底パネルがアルミニウム板製で、上枠の左右枠部材および前後枠部材ならびに左右パネルルの上半パネルおよび下半パネルがそれぞれアルミニウム形材製であり、底パネルには、上枠のほぼ周縁を下からのぞむように立ち上がり周縁部が設けられ、上枠の左右枠部材がほぼ方形の中空状でかつ外壁に連なった上壁より外壁に連なった下壁の幅の方が短く形成せられ、上壁に連なった内壁上部と下壁に連なった内壁下部との間に斜め内下向き開口を有する第１横断面欠円部がこれらに連なって長さ全体に設けられるとともに、左右パネルのそれぞれ上端に第１横断面欠円部内に回転摺動自在に嵌め込まれかつ第１横断面欠円部の開口幅より大きい直径の第２横断面円形部が長さ全体に設けられ、左右パネルの上端垂直部が左右枠部材の内壁下部に当接せられており、上枠の前後枠部材がほぼ方形の中空状でかつ外壁に連なった上壁より外壁に連なった下壁の幅の方が短く形成せられ、上壁に連なった内壁大半部と下壁に連なった内壁下端部との間に斜め内下向き開口を有する第３横断面欠円部がこれらに連なって長さ全体に設けられるとともに、前後パネルのそれぞれ上端に第３横断面欠円部内に回転摺動自在に嵌め込まれかつ第３横断欠円部の開口幅より大きい直径の第４横断面円形部が長さ全体に設けられ、前後パネルの上端垂直部が前後枠部材の内壁下端部に当接せられており、各上半パネルの下端および各下半パネルの上端に水平筒状部が交互に所要数設けられてこれら筒状部に水平軸が挿通せられ、さらに各上半パネルの筒状部に各下半パネルの上端部内面を内側から抑える垂下延長部が設けられており、底パネルにおける立ち上がり周縁部の前後側壁内方にそって少なくとも１つの水平軸が設けられ、各下半パネルの下端部に水平軸に回転自在に嵌められた水平筒状部が設けられ、左右パネルがそれぞれ前後パネルの端部間に存在している折り畳み式コンテナ。
【請求項３】
左右パネルおよび前後パネルのうち少なくとも１つのパネルが多孔板である請求項１または２記載の折り畳み式コンテナ
【発明の詳細な説明】
【０００１】
【発明の属する技術分野】
本発明は、種々の品物の輸送の際に用いられる折り畳み式コンテナ、特に品物入りコンテナを冷凍車両に積み込んで輸送し、目的地でコンテナから品物を取り出した後、空になったコンテナを折り畳んだ状態で出発地に送り返すことのできる折り畳み式コンテナに関する。なお、この明細書において、第２および第４横断面円形部中の「円形部」には、真円部と欠円部が含まれる。また、アルミニウムには、純アルミニウムとアルミニウム合金が含まれる。
【０００２】
【従来の技術】
【０００３】
【特許文献】特許第３３８１１５７号公報
上記特許文献１に開示されている従来の折り畳み式コンテナは、前後パネル、左右パネル、底パネルおよび蓋を備えており、蓋以外のパネルが、隣り合う縁部同士を凹凸嵌合させた複数のアルミニウム水平中空押出形材で構成されており、左右パネルの前後両端に中空状嵌合凸部を有する枠部材が取り付けられ、前後パネルの左右両端には左右パネル両端の嵌合凸部が嵌め入れられる嵌合凹部を有する枠部材が取り付けられ、底パネルの左右両端には桁部材が取り付けられており、枠部材付き前後パネル、枠部材付き左右パネルが正方形の桁部材付き底パネルとほぼ同じ大きさの略正方形となされ、桁部材付き底パネルの四隅にはアングル状底隅金具がその内面を隅部外側にそわせて取り付けられ、かつ底隅金具における底パネルからの上方突出部の長さが折り畳み状態における枠部材付き前後パネルおよび枠部材付き左右パネルの各隅部を保持可能な長さとなされており、蓋は、正方形であって、その四辺に垂下部を有し、かつ折り畳む際に蓋隅部における垂下部内方が底パネルの底隅金具の上方突出部上端に載る大きさとなされており、左右パネル両端の中空状嵌合凸部の前後下端寄り部分には、前後突出ロックピンが着脱自在に取り付けられており、折り畳み時、底隅金具の上方突出部内側の桁部材付き底パネル上に、ロックピンを取り外した状態の枠部材付き左右パネルおよび枠部材付き前後パネルを積み重ね、底隅金具の上方突出部の上端に蓋隅部における垂下部の内方を載せるようになされており、底隅金具における左右パネルの嵌合凸部と対向する壁にはロックピン落し込み用切り欠きが内縁から設けられており、前後パネルの枠部材の下端部にはロックピン避け用切り欠きが設けられ、前後パネルの上縁左右両端には、嵌合凹部の上端に位置し、かつ左右パネルの両端における中空状嵌合凸部の上端開口に嵌め込まれる下向き突起を有する連結部材が取り付けられており、前後パネルをそれぞれ構成する中空押出形材のうち少なくともいずれか一つの中空押出形材の外側壁に長さ方向に伸びる開口部が設けられ、開口部両端部の上下縁に閂部材がこれに設けられた上下溝を嵌め合わせることにより、スライド自在に取り付けられ、閂部材における開口部外方側に把持部が設けられ、開口部内方側が本体部となされており、嵌合凹部の内側壁および嵌合凸部の内側壁における閂部材本体部の先端と対向する部分には閂部材本体部の先端部の通し穴があけられており、左右パネルの嵌合凸部に取り付けられたロックピンを底隅金具におけるロックピン落し込み用切り欠きに落し入れて左右パネルを桁部材付き底パネルの上側に立て、左右パネル両端の嵌合凸部に前後パネルの嵌合凹部を嵌め合わせると共に、嵌合凸部の上端開口に前後パネルの連結部材の下向き突起を嵌め込み、前後パネルの閂部材本体収容部内に収められた閂部材本体部の先端部を嵌合凹部内側壁および嵌合凸部の内側壁の各通し穴に貫通せしめることにより、桁部材付き底パネル上に前後パネルおよび左右パネルが連結状態に立てられてコンテナ本体が構成され、コンテナ本体の口部に蓋が被せられるようになされているものである。
【０００４】
【発明が解決しようとする課題】
上記従来の折り畳み式コンテナは、したかって構造が複雑であるのみならず、折り畳みおよび組み立てが煩雑でかつ時間を要するうらみがあった。
【０００５】
本発明の目的は、簡単な構造で折り畳みおよび原状への復元が容易な折り畳み式コンテナを提供するにある。
【０００６】
【課題を解決するための手段】
請求項１の発明による折り畳み式コンテナは、底パネル、上枠、左右パネルおよび前後  パネルを備えており、底パネルには、上枠のほぼ周縁を下からのぞむように立ち上がり周縁部が設けられ、左右パネルの上端部が上枠の左右枠部材それぞれに揺動自在に取り付けられ、前後パネルは高さの中程で内方へ２つ折り自在に連結された上半パネルおよび下半パネルよりなり、前後上半パネルの上端部が上枠の前後枠部材それぞれに揺動自在に取り付けられるとともに、前後下半パネルの下端部が底パネルの前後に設けられた取り付け手段それぞれに揺動自在に取り付けられ、左右パネルがそれぞれ前後パネルの端部間に存在しているものである
請求項２の発明による折り畳み式コンテナは、底パネル、上枠、左右パネルおよび前後パネルを備えており、底パネルがアルミニウム板製で、上枠の左右枠部材および前後枠部材、左右パネルならびに前後パネルの上半パネルおよび下半パネルがそれぞれアルミニウム形材製であり、底パネルには、上枠のほぼ周縁を下からのぞむように立ち上がり周縁部が設けられ、上枠の左右枠部材がほぼ方形の中空状でかつ外壁に連なった上壁より外壁に連なった下壁の幅の方が短く形成せられ、上壁に連なった内壁上部と下壁に連なった内壁下部との間に斜め内下向き開口を有する第１横断面欠円部がこれらに連なって長さ全体に設けられるとともに、左右パネルのそれぞれ上端に第１横断面欠円部内に回転摺動自在に嵌め込まれかつ第１横断面欠円部の開口幅より大きい直径の第２横断面円形部が長さ全体に設けられ、左右パネルの上端垂直部が左右枠部材の内壁下部に当接せられており、上枠の前後枠部材がほぼ方形の中空状でかつ外壁に連なった上壁より外壁に連なった下壁の幅の方が短く形成せられ、上壁に連なった内壁大半部と下壁に連なった内壁下端部との間に斜め内下向き開口を有する第３横断面欠円部がこれらに連なって長さ全体に設けられるとともに、前後パネルのそれぞれ上端に第３横断面欠円部内に回転摺動自在に嵌め込まれかつ第３横断欠円部の開口幅より大きい直径の第４横断面円形部が長さ全体に設けられ、前後パネルの上端垂直部が前後枠部材の内壁下端部に当接せられており、各上半パネルの下端および各下半パネルの上端に水平筒状部が交互に所要数設けられてこれら筒状部に水平軸が挿通せられ、さらに各上半パネルの筒状部に各下半パネルの上端部内面を内側から抑える垂下延長部が設けられており、底パネルにおける立ち上がり周縁部の前後側壁内方にそって少なくとも１つの水平軸が設けられ、各下半パネルの下端部に水平軸に回転自在に嵌められた水平筒状部が設けられ、左右パネルがそれぞれ前後パネルの端部間に存在しているものである。
請求項３の発明は、請求項１または２記載の折り畳み式コンテナにおいて、左右パネルおよび前後パネルのうち少なくとも１つのパネルが多孔板であるものである。
【０００７】
【発明の実施の形態】
本発明の実施の形態を、以下図面を参照して説明する。
【０００８】
折り畳み式コンテナは、図１〜図６に示すように、底パネル１、上枠２、左右パネル３、４および前後パネル５，６を備えており、底パネル１がアルミニウム板製で、上枠２の左右枠部材８、９および前後枠部材１０，１１、左右パネル３，４ならびに前後パネル５、６の上半パネル１２および下半パネル１３がそれぞれアルミニウム形材製であり、底パネル１には、上枠２のほぼ周縁を下からのぞむように立ち上がり周縁部１４が設けられ、上枠２の左右枠部材８，９がほぼ縦長方形の中空状でかつ外壁１５に連なった上壁１６より外壁１５に連なった下壁１７の幅の方が短く形成せられ、上壁１６に連なった内壁上部１８と下壁１７に連なった内壁下部１９との間に斜め内下向き開口を有する第１横断面欠円部２０がこれらに連なって長さ全体に設けられるとともに、左右パネル３，４のそれぞれ上端に第１横断面欠円部２０内に回転摺動自在に嵌め込まれかつ第１横断面欠円部２０の開口幅より大きい直径の第２横断面欠円部２１が長さ全体に設けられ、左右パネル３，４の上端垂直部２２が左右枠部材８，９の内壁下部１９に当接せられており、上枠２の前後枠部材１０，１１がほぼ縦長方形の中空状でかつ外壁２３に連なった上壁２４より外壁２３に連なった下壁２５の幅の方が短く形成せられ、上壁２４に連なった内壁大半部２６と下壁２５に連なった内壁下端部２７との間に斜め内下向き開口を有する第３横断面欠円部２８がこれらに連なって長さ全体に設けられるとともに、前後パネル５，６の上半パネル１２のそれぞれ上端に第３横断面欠円部２８内に回転摺動自在に嵌め込まれかつ第３横断欠円部２８の開口幅より大きい直径の第４横断面欠円部２９が長さ全体に設けられ、前後パネル５，６の上半パネル１２の上端垂直部３０が前後枠部材１０，１１の内壁下端部２７に当接せられており、各上半パネル１２の下端および各下半パネル１３の上端に横断面欠円状の水平筒状部３１，３２が交互に設けられてこれら筒状部３１、３２に水平軸３３が挿通せられ、さらに各上半パネル１２の筒状部３１に各下半パネル１３の上端部内面を内側から抑える垂下延長部３４が設けられており、底パネル１における立ち上がり周縁部１４の前後側壁３５内方にそって左右２つの水平軸３６が設けられ、各下半パネル１３の下端部に水平軸３６に回転自在に嵌められた横断面欠円状の水平筒状部３７が設けられ、左右パネル８，９がそれぞれ前後パネル５，６の端部間に存在しているものである。
前後枠部材１０，１１の両端開口には、同枠部材１０，１１と同じ幅と高さを有する縦長方形の蓋３８が施されている。左前後の蓋３８は左枠部材８の外壁２３と面―であり、右前後の蓋３８は右枠部材９の外壁２３と面―である。左右枠部材８，９の上壁１６および前後枠部材１０，１１の上壁２４には、コンテナを積み上げたさいの滑り止め用凹凸条が形成されるように、それぞれ長さ全体にのびた２本の溝３９が平行に設けられている。左右枠部材８、９の内壁上部１８の幅は内壁下部１９の幅より短く、前後枠部材１０，１１の下壁１７は若干内上向きに傾斜している。第１横断面欠円部２０と内壁下部１９の左右枠部材８、９中空部側には、タッツピングねじ用横断面欠円部４０、４１が設けられており、横断面欠円部４０、４１それぞれにタッピングねじ４２が前後枠部材１０，１１中空部側から内壁大半部２６を貫通してねじ込まれ、左右枠部材８，９と前後枠部材１０，１１が連結せられて上枠２が構成されている。
【０００９】
左右パネル３，４は、上端垂直部２２の下端から左右枠部材８、９の上壁１６内端対応位置までのびた上水平部４３、上水平部４３の内端から左右パネル３，４の高さの中程やや上方位置までのびた中間上垂直部４４、中間上垂直部４４の下端から左右枠部材８、９の下壁１７の幅中程相当位置までやや外下向きにのびた中間傾斜部４５、中間傾斜部４５の外端から底パネル１の立ち上がり周縁部１４の上端相当位置までのびた中間下垂直部４６、中間下垂直部４６から中間上垂直部４４相当位置までのびた下水平部４７、下水平部４７から底パネル１の上面までのびた下端垂直部４８および下水平部４７の下面全体と下端垂直部４８の外面全体とに接着せられかつ底パネル１の立ち上がり周縁部１４の左右側壁４９に当接する緩衝部材５０を有している。
【００１０】
前後パネル５，６の上半パネル１２は、その上端垂直部３０の下端から前後枠部材１０、１１の内端対応位置までのびた上水平部５１を有しており、前後枠部材１０、１１の下壁２５と上水平部５１とを合わせた幅が前後枠部材１０、１１の上壁２４の幅に等しい。上半パネル１２の垂直部および垂下延長部３４は前後枠部材１０、１１の内壁大半部２６と同一垂直面上にあり、垂下延長部３４の下端は僅かに外方へ折れ曲がっている。水平筒状部３１，３２は外方に突出しており、下半パネル１３の垂直部は上半パネル１２の垂下延長部３４の前にある。底パネル１の立ち上がり周縁部１４の前後側壁３５内側左右２箇所において、軸支持金具５２が底パネル１に配置されている。軸支持金具５２は、横断面逆Ｕ形で長さの中央部分が外側に偏って幅が狭くなっている本体５３と、本体５３の両端に固着せられかつ水平軸３６がわたし止められた蓋５４とよなる。本体５３はリベット５５で底パネル１に固定されている。幅の広い本体５３両端部に相当する箇所における下半パネル１３下端部が水平筒状部３６を含めて切り欠かれており、本体５３両端部の内部分が各下半パネル１３の内方に入り込んでいる。底パネル１の四隅寄りで左右パネル３，４および前後パネル５，６の交差部内側には、平面からみてアングル状で横断面逆Ｕ形の脚５６がリベット５７で底パネル１の下面に固定されている。水平軸３３，３６にはアルミニウム管が用いられており、軸支持金具５２および脚５６はアルミニウム製である。なお、軸支持金具５２を用いず、下半パネル１３の長さに相当する長さの水平軸を底パネル１の立ち上がり周縁部１４の左右側壁４９にわたし止めてもよい。
【００１１】
上記コンテナに品物を収容し、車両に積んで目的地まで輸送してコンテナを空にすると、コンテナだけを発送地まで返送すればよい。このさい、コンテナが嵩張らないように折り畳むのである。すなわち、図５に示すように、まず右パネル４と左パネル３をほぼ水平に跳ね上げて重ねる。すると、内側に障害物がないので、図６に示すように前後パネル５，６を高さの中程で２つ折りすることができる。前後パネル５，６を２つ折りすると、上枠２が底パネル１の立ち上がり周縁部１４の上に載り、嵩が小さくなるので、折り畳んだコンテナを多数積み重ねることができる。折り畳んだコンテナを原状に戻すには、上枠２を上方に引き上げるだけでよい。上枠２を上方に引き上げると、左右パネルパネル３、４は自重で垂直になる。左右パネルパネル３、４が垂直になると、前後パネルパネル５、６はこれらに阻まれて内方に２つ折りせられることはない。
【００１２】
【発明の効果】
請求項１の発明の折り畳み式コンテナによれば、簡単な構造で折り畳みおよび原状への復元が容易である。
【００１３】
請求項２の発明の折り畳み式コンテナによれば、加えて大半がアルミニウム形材製であるので、大量生産に適しているし、冷凍車両に積まれた場合熱伝導率がよいため効率よく冷却せられる。
【００１４】
請求項３の発明の折り畳み式コンテナによれば、左右パネルおよび前後パネルのうち少なくとも１つのパネルが多孔板であるので、冷凍車両の冷気が多数の孔を通してコンテナ内に侵入し一層冷却効率がよい。
【図面の簡単な説明】
【図１】本発明の折り畳み式コンテナの斜視図である。
【図２】図１のＩＩ―ＩＩ線にそう断面図である。
【図３】図１のＩＩＩ―ＩＩＩ線にそう断面図である。
【図４】図１のＩＶ―ＩＶ線にそう断面図である。
【図５】左右パネルの跳ね上げ状態を示す断面図である。
【図６】前後パネルの２つ折り状態を示す断面図である。
【符号の説明】
１：底パネル
２：上枠
３：左パネル
４：右パネル
５：前パネル
６：後パネル
８：左枠部材
９：右枠部材
１０：前枠部材
１１：後枠部材
１２：上半パネル
１３：下半パネル
１４：立ち上がり周縁部
１５，２３：外壁
１６，２４：上壁
１７，２５：下壁
１８：内壁上部
１９：内壁下部
２０：第１横断面欠円部
２１：第２横断面欠円部（第２横断面円形部）
２２、３０：上端垂直部
２６：内壁大半部
２７：内壁下端部
２８：第３横断面欠円部
２９：第４横断面欠円部（第４横断面円形部）
３１，３２，３７：水平筒状部
３３、３６：水平軸
３４：垂下延長部
３５：前後側壁
【図１】
2005014940.tif 000003
【図２】
2005014940.tif 000004
【図３】
2005014940.tif 000005
【図４】
2005014940.tif 000006
【図５】
2005014940.tif 000007
【図６】
2005014940.tif 000008